(57)【要約】【課題】本発明の目的は、使用者にとって適宜な位置に振動子の位置調整を行うことができる振動装置を提供する。【解決手段】振動を発生する振動子２と、振動子２の振動方向に対して直交する方向に振動子２を変位させる変位手段４と、変位手段を制御する制御手段と、を備える。これによれば、振動子２が、変位手段により平面方向に変位されるから、着座者にとって適宜な位置に振動子の位置調整を行うことができる。【選択図】図２
2019010917.tif 000002
【特許請求の範囲】
【請求項１】
振動を発生する振動子と、
前記振動子の振動方向に対して直交する方向に前記振動子を変位させる変位手段と、
前記変位手段を制御する制御手段と、を備えることを特徴とする振動装置。
【請求項２】
前記変位手段が、前記振動子を定位置から変位させる第１変位部を備え、
前記第１変位部と前記振動子を結ぶ第１線分の延長上に位置して、前記第１変位部に向けて付勢力を生じさせる第１付勢手段を備えていることを特徴とする請求項１に記載の振動装置。
【請求項３】
前記変位手段が、前記振動子を定位置から変位させる第１変位部と第２変位部を備え、
前記第１変位部と前記第２変位部との間に、前記振動子が設けられ、
前記第１変位部が前記振動子を変位させる方向とは異なる方向に、前記第２変位部が前記振動子を変位させることを特徴とする請求項１に記載の振動装置。
【請求項４】
前記第１変位部と前記振動子とを結ぶ第１線分の延長上に前記第２変位部が位置していることを特徴とする請求項３に記載の振動装置。
【請求項５】
前記変位手段が、第３変位部及び第４変位部をさらに備え、
前記第３変位部と前記第４変位部との間に、前記振動子が設けられ、
前記第３変位部及び前記第４変位部は、前記第１線分に交差する直線上に位置していることを特徴とする請求項４に記載の振動装置。
【請求項６】
前記変位手段が、第３変位部をさらに備え、
前記第３変位部と前記振動子を結ぶ第２線分の延長上に位置して、前記第１変位部に向けて付勢力を生じさせる第２付勢手段を備え、
前記第２線分は、前記第１線分と交差していることを特徴とする請求項２に記載の振動装置。
【請求項７】
前記振動子の振動方向に当該振動子を変位させる振動方向変位手段をさらに備え、
前記振動方向変位手段は、前記振動子の振動方向側に位置していることを特徴とする請求項１〜請求項６のうち何れか一項に記載の振動装置。
【発明の詳細な説明】
【技術分野】
【０００１】
本発明は、振動装置に関する。
【背景技術】
【０００２】
例えば、特許文献１には、シート内部に配設される振動素子は、シート表面との間隔が相対的にシート表面に近い警報位置と、相対的に離れた退避位置との間を移動可能にシート内部に組込み装備される車両用シートが記載されている。この車両用シートは、振動素子の警報位置と退避位置の間を移動させることのできる移動駆動機構により振動素子は移動されるようになっており、移動駆動機構は着座者に警報を発しない状態時には振動素子を退避位置に、着座者に警報を発する状態時には振動素子を警報位置に移動させている。
【先行技術文献】
【特許文献】
【０００３】
【特許文献１】特開２００９−２４８６３１号公報
【発明の概要】
【発明が解決しようとする課題】
【０００４】
このように特許文献１に記載の発明にあっては、着座者の体格差や使用目的により、振動が伝わる範囲が限定される懸念がある。即ち、着座者（使用者）の体格差や使用目的により、振動素子（振動子）の最適（適宜）な位置が異なる場合があった。
【０００５】
本発明は、使用者にとって適宜な位置に振動子の位置調整を行うことができる振動装置を提供する。
【課題を解決するための手段】
【０００６】
上記課題を解決するために、請求項１に記載の振動装置は、振動を発生する振動子と、前記振動子の振動方向に対して直交する方向に前記振動子を変位させる変位手段と、前記変位手段を制御する制御手段と、を備えることを特徴とする。
【図面の簡単な説明】
【０００７】
【図１】本発明の一実施例にかかる振動装置を備えた振動装置付き座席を示す斜視図である。
【図２】図１に示された振動装置を示す概念図である。
【発明を実施するための形態】
【０００８】
以下、本発明の一実施形態を説明する。本発明の実施形態に係る振動装置は、振動を発生する振動子と、振動子の振動方向に対して直交する方向に振動子を変位させる変位手段と、変位手段を制御する制御手段と、を備える。これによれば、振動子が、変位手段により平面方向に移動できるため、着座者にとって適宜な位置に振動子の位置調整を行うことができる。
【０００９】
また、変位手段が、振動子を定位置から変位させる第１変位部を備え、第１変位部と振動子を結ぶ第１線分の延長上に位置して、第１変位部に向けて付勢力を生じさせる第１付勢手段を備えていてもよい。これによれば、  第１変位部と第１付勢手段との間に振動子が位置して、振動子の平面方向における第１線分方向の移動が可能とされる。即ち、第１付勢手段を制御手段により制御させずとも、振動子を平面方向に移動させる構成が実現される。
【００１０】
また、変位手段が、振動子を定位置から変位させる第１変位部及び第２変位部を備え、第１変位部と第２変位部との間に、振動子が設けられ、第１変位部が振動子を変位させる方向とは異なる方向に、第２変位部が振動子を変位させてもよい。これによれば、使用者にとって、より一層、適宜な位置となるように、振動子の位置調整を行うことができる。
【００１１】
また、第１変位部と振動子とを結ぶ第１線分の延長上に第２変位部が位置していてもよい。これによれば、第１変位部と第２変位部の両方が制御手段により制御されることで、振動子を第１線分上の適宜な位置に効率よく移動させることができる。従って、使用者にとって、より一層、適宜な位置に振動子の位置調整を行うことができる。
【００１２】
また、変位手段が、第３変位部及び第４変位部をさらに備え、第３変位部と第４変位部との間に、振動子が設けられ、第３変位部及び第４変位部は、第１線分に直交する直線上に位置していてもよい。これによれば、第３変位部と第４変位部の両方が制御手段により制御されることで、第１線分上に加えて第２線分上の適宜な位置に効率よく移動させることができる。従って、使用者にとって、より一層、適宜な位置に振動子の位置調整を行うことができる。さらに、制御手段により、第１変位部、第２変位部、第３変位部、第４変位部、それぞれを制御することで、振動子の振動方向に対して直交する方向のうち、第１線分及び第２線分の双方向に交差する交差線上の適宜な位置に、振動子を効率よく移動させることができる。従って、使用者にとって、より一層、適宜な位置に振動子の位置調整を行うことができる。
【００１３】
また、変位手段が、第３変位部をさらに備え、第３変位部と振動子を結ぶ第２線分の延長上に位置して、第３変位部に向けて付勢力を生じさせる第２付勢手段を備え、第２線分は、第１線分と交差していてもよい。これによれば、第３変位部と第２付勢手段との間に振動子が位置して、第１線分方向に加えて、第２線分方向の移動が可能とされる。即ち、第２付勢手段を制御手段により制御させずとも、振動子を平面方向の第１線分方向と第２線分方向の双方向に振動子を移動させる構成が実現される。
【００１４】
また、振動子の振動方向に当該振動子を変位させる振動方向変位手段をさらに備え、振動方向変位手段は、振動子の振動方向側に位置していてもよい。これによれば、振動方向変位手段により振動子をその振動方向側に移動させることができる。従って、使用者にとって、より一層、適宜な位置に、振動子の位置調整を行うことができる。
【実施例】
【００１５】
以下、本発明の一実施例について具体的に説明する。図１は、本発明の一実施例にかかる振動装置１を備えた振動装置付き座席１１を示す斜視図である。図２は、図１に示された振動装置１を示す概念図である。図１に示す振動装置付き座席１１は、着座面１１Ａ及び背面１１Ｂを有する座席１１０と、振動装置１と、を備え、車両の運転席を構成する。図１等に示す前後方向は座席１１０及び車両の前後方向であり、左右方向は座席１１０及び車両の車幅方向であり、上下方向は座席１１０及び車両の高さ方向である。
【００１６】
背面１１Ｂは、図１に示すように、着座面１１Ａに対して交差するように延び、図１に示すようにその表面を構成するシート部材１１１と、シート部材１１１と、シート部材１１１の内側に設けられる緩衝部材１１２（クッション部材）等と、を有する。緩衝部材１１２は、例えばウレタンフォーム等によって構成される。背面１１Ｂは、着座者（運転者）の背中と接触する面である。
【００１７】
振動装置１は、図１、図２に示すように、振動ユニット１２と、振動ユニット１２の振動子２を変位させる変位手段４（図２に示す）と、変位手段４を制御する不図示の制御手段（ＣＰＵ）と、を備えている。図１において、変位手段４は省略されている。
【００１８】
振動ユニット１２は、図１に示すように、背面１１Ｂを構成するシート部材１１１の内側の緩衝部材１１２内に配設されている。振動ユニット１２は、図２に示すように、振動を発生する円盤状の振動子２と、振動子２を支持する振動子ホルダー３と、を備えている。また、振動ユニット１２は、振動子２が、振動子ホルダー３の所定の位置（定位置Ｐ０）において、振動ユニット１２の振動子２の振動方向（前後方向）と、振動方向に直交する方向（シート部材１１１の面方向）に移動可能となるように振動子ホルダー３に支持されている。なお、本実施例では、振動子ホルダー３の中心のことを振動子２の所定の位置（定位置Ｐ０）と記す。なお、本実施例では、振動ユニット１２は、振動を発生する円盤状の振動子２と、振動子２を支持する振動子ホルダー３と、を備えているが、振動子のフレームが、振動子ホルダーの役割を担うように振動子及び振動子ホルダーが一体に構成されていてもよい。その場合には、振動ユニットは、振動子ホルダーを有さず、振動子２を有して構成されていればよい。
【００１９】
このような振動ユニット１２は、図１、図２に示すように、振動子２の振動面２１０が、背面１１Ｂを構成するシート部材１１１の内側の緩衝部材１１２内において、シート部材１１１と対向するように配置されている。
【００２０】
変位手段４は、図２に示すように、エアーポンプ４１と、複数（図示例では４個）の第１ブラダー４２Ａ（第１変位部）、第２ブラダー４２Ｂ（第２変位部）、第３ブラダー４２Ｃ（第３変位部）、及び第４ブラダー４２Ｄ（第４変位部）と、ホース４３と、制御手段の指示により（不図示の）弁を開閉させる複数（図示例では４個）の第１調整弁４４Ａ、第２調整弁４４Ｂ、第３調整弁４４Ｃ、及び第４調整弁４４Ｄと、を備えている。
【００２１】
さらに振動装置１は、図２に示すように、振動方向変位手段５を備えている。振動方向変位手段５は、エアーポンプ４１により、ホース４３を介してエアーが供給される第５ブラダー４２Ｅ（第５変位部）と、制御手段の指示により（不図示の）弁を開閉させる複数の第５エアー調整弁４４Ｅと、を備えている。なお、本実施例では、第１ブラダー４２Ａ、第２ブラダー４２Ｂ、第３ブラダー４２Ｃ、第４ブラダー４２Ｄ、第５ブラダー４２Ｅを総称して「ブラダー４２」と記す場合がある。また、第１エアー調整弁４４Ａ、第２エアー調整弁４４Ｂ、第３エアー調整弁４４Ｃ、第４エアー調整弁４４Ｄ、第５エアー調整弁４４Ｅを総称して「調整弁４４」と記す場合がある。
【００２２】
５個のブラダー４２としての第１ブラダー４２Ａ、第２ブラダー４２Ｂ、第３ブラダー４２Ｃ、第４ブラダー４２Ｄ、第５ブラダー４２Ｅは、中空の円筒形状と成るように形成されている。また、各ブラダー４２の内部にエアーが供給されることで、その軸寸法が大きくされるように伸長され、各ブラダー４２の内部からエアーが排気されることで、その軸寸法が小さくされるように収縮されるように構成されている。即ち、各ブラダー４２はその軸方向に伸縮可能となっている。
【００２３】
第１ブラダー４２Ａ、第２ブラダー４２Ｂ、第３ブラダー４２Ｃ、及び第４ブラダー４２Ｄは、振動子２の振動方向に対して直交する（仮想）平面上に振動子２を囲むように設けられている。本実施例では、第１ブラダー４２Ａ及び第２ブラダー４２Ｂは、仮想平面上において振動子２を挟んで上下に対向する位置に設けられ、各ブラダー４２Ａ、４２Ｂは上下方向に伸縮するように配置されている。即ち、第２ブラダー４２Ｂは、第１ブラダー４２Ａと振動子２とを結ぶ第１線分ＰＡの延長上ＰＢに設けられている。また、第１ブラダー４２Ａ及び第２ブラダー４２Ｂは、振動子２からの距離が略等しい距離となる位置に設けられている。また、第３ブラダー４２Ｃ及び第４ブラダー４２Ｄは、仮想平面上において、振動子２を挟んで左右方向に対向する位置に設けられ、各ブラダー４２Ｃ、４２Ｄは左右方向に伸縮するように配置されている。即ち、第３ブラダー４２Ｃ及び第４ブラダー４２Ｄは、第１線分ＰＡに直交（交差）する直線上に位置している。また、第３ブラダー４２Ｃ及び第４ブラダー４２Ｄは、振動子２からの距離が略等しい距離となる位置に設けられている。このような第１ブラダー４２Ａ、第２ブラダー４２Ｂ、第３ブラダー４２Ｃ、及び第４ブラダー４２Ｄが、伸縮されることで変位手段として機能して、振動子２をその振動方向に直交する方向に移動（変位）させる。
【００２４】
第５ブラダー４２Ｅは、振動ユニット１２を挟んで、背面１１Ｂのシート部材１１１から離れた側に位置している。即ち、第５ブラダー４２Ｅは、振動子２の振動方向（前後方向）側に位置している。本実施例では、第５ブラダー４２Ｅは、前後方向（振動子２の振動方向、背面１１Ｂのシート部材１１１の面に対して直交する方向）に伸縮するように配置されている。このような第５ブラダー４２Ｅが、伸縮されることで振動方向変位手段として機能して、振動ユニット１２をその振動方向（前後方向）に移動（変位）させる。
【００２５】
５個のエアー調整弁４４は、第１調整弁４４Ａと、第２調整弁４４Ｂと、第３調整弁４４Ｃと、第４調整弁４４Ｄと、第５調整弁４４Ｅと、を備えている。第１調整弁４４Ａは、第１ブラダー４２Ａにエアーを供給するためのホース４３に設けられている。第２調整弁４４Ｂは、第２ブラダー４２Ｂにエアーを供給するためのホース４３に設けられている。第３調整弁４４Ｃは、第３ブラダー４２Ｃにエアーを供給するためのホース４３に設けられている。第４調整弁４４Ｄは、第４ブラダー４２Ｄにエアーを供給するためのホース４３に設けられている。第５調整弁４４Ｅは、第５ブラダー４２Ｅにエアーを供給するためのホース４３に設けられている。
【００２６】
制御手段は、着座者からの指示に応じて、各調整弁４４の開閉を制御する。また、制御手段は、第１調整弁４４Ａと第２調整弁４４Ｂは連動して動作するように制御し、第３調整弁４４Ｃと第４調整弁４４Ｄは連動して動作するように制御している。また、第１ブラダー４２Ａ及び第２ブラダー４２Ｂの内部に位置するエアーの体積は一定となるように制御手段により制御され、第３ブラダー４２Ｃ及び第４ブラダー４２Ｄの内部に位置するエアーの体積は一定となるように制御手段により制御されている。
【００２７】
このような振動装置１は、制御手段からの指示により、各調整弁４４が開閉されることで、各ブラダー４２が動作する。そして、着座者からの指示に応じて制御手段は、第１調整弁４４Ａ及び第２調整弁４４Ｂの開閉を制御することで、第１ブラダー４２Ａと第２ブラダー４２Ｂとの間においてエアーを移動させる。同様に、第３調整弁４４Ｃ及び第４調整弁４４Ｄの開閉を制御することで、第３ブラダー４２Ｃと第４ブラダー４２Ｄとの間においてエアーを移動させる。第５調整弁４４Ｅを開閉することで、第５ブラダー４２Ｅにエアーを供給したり、第５ブラダー４２Ｅからエアーを排出したりする。こうして、制御手段は、各ブラダー４２を伸縮させることで、振動子２を押圧して、着座者の所望の位置に移動させる。
【００２８】
次に、本実施例の制御手段の動作を説明する。まず、振動子２は初期状態で定位置Ｐ０に位置し、各調整弁４４は初期状態で閉状態となっている。
【００２９】
ここで、例えば、着座者からの「振動子２を下方に移動させる」旨の指示により、制御手段は、第１調整弁４４Ａ及び第２調整弁４４Ｂを連動して開閉動作させて、第２ブラダー４２Ｂから第１ブラダー４２Ａにエアーを移動させる。これにより、第１ブラダー４２Ａが軸方向（振動子２から接離する上下方向）に伸長するとともに、第２ブラダー４２Ｂが軸方向（振動子２から接離する上下方向）に収縮する。こうして、振動子２が定位置Ｐ０から下方に移動される。この後、着座者からの「移動を停止する」旨の指示により、振動子２の下方への移動が停止され、振動子２は停止された位置に留まる。
【００３０】
また、例えば、着座者からの「振動子２を上方に移動させる」旨の指示により、制御手段は、第１調整弁４４Ａ及び第２調整弁４４Ｂを連動して開閉動作させて、第１ブラダー４２Ａから第２ブラダー４２Ｂにエアーを移動させる。これにより、第１ブラダー４２Ａが軸方向（振動子２から接離する上下方向）に収縮するとともに、第２ブラダー４２Ｂが軸方向（振動子２から接離する上下方向）に伸長する。こうして、振動子２が定位置Ｐ０から上方に移動される。この後、着座者からの「移動を停止する」旨の指示により、振動子２の上方への移動が停止され、振動子２は停止された位置に留まる。
【００３１】
また、例えば、着座者からの「振動子２を右方に移動させる」旨の指示により、制御手段は、第３調整弁４４Ｃ及び第４調整弁４４Ｄを連動して開閉動作させて、第４ブラダー４２Ｄから第３ブラダー４２Ｃにエアーを移動させる。これにより、第３ブラダー４２Ｃが軸方向（振動子２から接離する左右方向）に伸長するとともに、第４ブラダー４２Ｄが軸方向（振動子２から接離する左右方向）に収縮する。こうして、振動子２が定位置Ｐ０から右方に移動される。この後、着座者からの「移動を停止する」旨の指示により、振動子２の右方への移動が停止され、振動子２は停止された位置に留まる。
【００３２】
また、例えば、着座者からの「振動子２を左方に移動させる」旨の指示により、制御手段は、第３調整弁４４Ｃ及び第４調整弁４４Ｄを連動して開閉動作させて、第３ブラダー４２Ｃから第４ブラダー４２Ｄにエアーを移動させる。これにより、第４ブラダー４２Ｄが軸方向（振動子２から接離する左右方向）に伸長するとともに、第３ブラダー４２Ｃが軸方向（振動子２から接離する左右方向）に収縮する。こうして、振動子２が定位置Ｐ０から左方に移動される。この後、着座者からの「移動を停止する」旨の指示により、振動子２の左方への移動が停止され、振動子２は停止された位置に留まる。
【００３３】
このようにして振動装置１は、振動子２をその振動方向（前後方向）に対して直交する方向（本実施例では、シート部材１１１の面延在方向）の上下左右の何れの方向にも変位自在とされている。
【００３４】
さらに、例えば、着座者からの「振動子２を前方（振動子２が着座者に近づく方向）に移動させる」旨の指示により、制御手段は、第５調整弁４４Ｅを開いて、第５ブラダー４２Ｅにエアーを供給する。これにより、第５ブラダー４２Ｅが軸方向（振動子２から接離する前後方向）に伸長する。こうして、振動ユニット１２（振動子２）が定位置Ｐ０（または、振動子２が変位手段により移動した後の位置）から前方に移動される。この後、着座者からの「移動を停止する」旨の指示により、振動ユニット１２の前方への移動が停止され、振動ユニット１２は停止された位置に留まる。また、例えば、着座者からの「振動子２を後方（振動子２が着座者から離れる方向）に移動させる」旨の指示により、制御手段は、第５調整弁４４Ｅを開いて、第５ブラダー４２Ｅからエアーを外部に排出する。これにより、第５ブラダー４２Ｅが軸方向（振動子２から接離する前後方向）に収縮する。こうして、振動ユニット１２が定位置Ｐ０から後方に移動される。この後、着座者からの「移動を停止する」旨の指示により、振動ユニット１２の後方への移動が停止され、振動子２は停止された位置に留まる。
【００３５】
さらに、着座者からの「振動子２を斜め左上に移動させる」旨の指示が入力された場合には、制御手段は、第１調整弁４４Ａ及び第２調整弁４４Ｂを連動して開閉動作させて、第１ブラダー４２Ａから第２ブラダー４２Ｂにエアーを移動させる。また、制御手段は、第３調整弁４４Ｃ及び第４調整弁４４Ｄを連動して開閉動作させて、第３ブラダー４２Ｃから第４ブラダー４２Ｄにエアーを移動させる。これにより、第２ブラダー４２Ｂが軸方向（振動子２から接離する上下方向）に伸長するとともに、第１ブラダー４２Ａが軸方向（振動子２から接離する上下方向）に収縮する。また、第４ブラダー４２Ｄが軸方向（振動子２から接離する左右方向）に伸長するとともに、第３ブラダー４２Ｃが軸方向（振動子２から接離する左右方向）に収縮する。こうして、振動子２が定位置Ｐ０から斜め左上に移動される。この後、着座者からの「移動を停止する」旨の指示により、振動子２の斜め左上への移動が停止され、振動子２は停止された位置に留まる。
【００３６】
また、例えば、着座者からの「振動子２を斜め右上に移動させる」旨の指示が入力された場合には、制御手段は、第１調整弁４４Ａ及び第２調整弁４４Ｂを連動して開閉動作させて、第１ブラダー４２Ａから第２ブラダー４２Ｂにエアーを移動させる。また、制御手段は、第３調整弁４４Ｃ及び第４調整弁４４Ｄを連動して開閉動作させて、第４ブラダー４２Ｄから第３ブラダー４２Ｃにエアーを移動させる。これにより、第２ブラダー４２Ｂが軸方向（振動子２から接離する上下方向）に伸長するとともに、第１ブラダー４２Ａが軸方向（振動子２から接離する上下方向）に収縮する。また、第３ブラダー４２Ｃが軸方向（振動子２から接離する左右方向）に伸長するとともに、第４ブラダー４２Ｄが軸方向（振動子２から接離する左右方向）に収縮する。こうして、振動子２が定位置Ｐ０から斜め右上に移動される。この後、着座者からの「移動を停止する」旨の指示により、振動子２の斜め右上への移動が停止され、振動子２は停止された位置に留まる。
【００３７】
また、例えば、着座者からの「振動子２を斜め右下に移動させる」旨の指示が入力された場合には、制御手段は、第１調整弁４４Ａ及び第２調整弁４４Ｂを連動して開閉動作させて、第２ブラダー４２Ｂから第１ブラダー４２Ａにエアーを移動させる。また、制御手段は、第３調整弁４４Ｃ及び第４調整弁４４Ｄを連動して開閉動作させて、第４ブラダー４２Ｄから第３ブラダー４２Ｃにエアーを移動させる。これにより、第１ブラダー４２Ａが軸方向（振動子２から接離する上下方向）に伸長するとともに、第２ブラダー４２Ｂが軸方向（振動子２から接離する上下方向）に収縮する。また、第３ブラダー４２Ｃが軸方向（振動子２から接離する左右方向）に伸長するとともに、第４ブラダー４２Ｄが軸方向（振動子２から接離する左右方向）に収縮する。こうして、振動子２が定位置Ｐ０から斜め右下に移動される。この後、着座者からの「移動を停止する」旨の指示により、振動子２の斜め右下への移動が停止され、振動子２は停止された位置に留まる。
【００３８】
また、例えば、着座者からの「振動子２を斜め左下に移動させる」旨の指示が入力された場合には、制御手段は、第１調整弁４４Ａ及び第２調整弁４４Ｂを連動して開閉動作させて、第２ブラダー４２Ｂから第１ブラダー４２Ａにエアーを移動させる。また、制御手段は、第３調整弁４４Ｃ及び第４調整弁４４Ｄを連動して開閉動作させて、第３ブラダー４２Ｃから第４ブラダー４２Ｄにエアーを移動させる。これにより、第１ブラダー４２Ａが軸方向（振動子２から接離する上下方向）に伸長するとともに、第２ブラダー４２Ｂが軸方向（振動子２から接離する上下方向）に収縮する。また、第４ブラダー４２Ｄが軸方向（振動子２から接離する左右方向）に伸長するとともに、第３ブラダー４２Ｃが軸方向（振動子２から接離する左右方向）に収縮する。こうして、振動子２が定位置Ｐ０から斜め左下に移動される。この後、着座者からの「移動を停止する」旨の指示により、振動子２の斜め左下への移動が停止され、振動子２は停止された位置に留まる。
【００３９】
本実施例によれば、振動装置１は、振動を発生する振動子２と、振動子２の振動方向に対して直交する方向に振動子２を変位させる変位手段４と、変位手段４を制御する制御手段と、を備える。これによれば、振動子２が、変位手段４によりシート部材１１１の面延在方向（平面方向）に移動できるため、着座者にとって適宜な位置に振動子２の位置調整を行うことができる。
【００４０】
また、変位手段４が、振動子２を定位置Ｐ０から変位させる第１ブラダー４２Ａ（第１変位部）と第２ブラダー４２Ｂ（第２変位部）を備え、第１ブラダー４２Ａ（第１変位部）と第２ブラダー４２Ｂ（第２変位部）との間に、振動子２が設けられ、第１ブラダー４２Ａ（第１変位部）が振動子２を変位させる方向（下方）とは異なる方向（上方）に、第２ブラダー４２Ｂ（第２変位部）が振動子２を変位させる。これによれば、使用者にとって、より一層、適宜な位置となるように、振動子２の位置調整を行うことができる。
【００４１】
また、第１ブラダー４２Ａ（第１変位部）と振動子２とを結ぶ第１線分ＰＡの延長上ＰＢに第２ブラダー４２Ｂ（第２変位部）が位置している。これによれば、第１ブラダー４２Ａ（第１変位部）と第２ブラダー４２Ｂ（第２変位部）の両方が制御手段により制御されることで、振動子２をシート部材１１１の面延在方向（平面方向）の第１線分ＰＡ上の適宜な位置に効率よく移動させることができる。従って、使用者にとって、より一層、適宜な位置に振動子の位置調整を行うことができる。
【００４２】
また、変位手段４が、第３ブラダー４２Ｃ（第３変位部）及び第４ブラダー４２Ｄ（第４変位部）をさらに備え、第３ブラダー４２Ｃ（第３変位部）と第４ブラダー４２Ｄ（第４変位部）との間に、振動子２が設けられ、第３ブラダー４２Ｃ（第３変位部）及び第４ブラダー４２Ｄ（第４変位部）は、第１線分ＰＡに直交する直線ＰＣ、ＰＤ上に位置している。これによれば、第３ブラダー４２Ｃ（第３変位部）と第４ブラダー４２Ｄ（第４変位部）の両方が制御手段により制御されることで、第１線分ＰＡ上に加えて第２線分ＰＣ、ＰＤ上の適宜な位置に効率よく移動させることができる。従って、使用者にとって、より一層、適宜な位置に振動子２の位置調整を行うことができる。さらに、制御手段により、第１ブラダー４２Ａ（第１変位部）、第２ブラダー４２Ｂ（第２変位部）、第３ブラダー４２Ｃ（第３変位部）、第４ブラダー４２Ｄ（第４変位部）、それぞれを制御することで、振動子２の振動方向に対して直交する方向のうち、第１線分ＰＡ及び第２線分ＰＣ、ＰＤの双方向に交差する斜め方向（交差線上）の適宜な位置に、振動子２を効率よく移動させることができる。従って、使用者にとって、より一層、適宜な位置に振動子２の位置調整を行うことができる。
【００４３】
また、振動子２の振動方向に当該振動子２を変位させる振動方向変位手段５をさらに備え、振動方向変位手段５は、振動子２の振動方向側に位置している。これによれば、振動方向変位手段５により振動ユニット１２（振動子２）をその振動方向側に移動させることができる。従って、使用者にとって、より一層、適宜な位置に、振動子の位置調整を行うことができる。
【００４４】
なお、本発明は、前記実施形態に限定されるものではなく、本発明の目的が達成できる他の構成等を含み、以下に示すような変形例も本発明に含まれる。
【００４５】
また、前記実施例では、振動装置１は、第１ブラダー４２Ａ、第２ブラダー４２Ｂ、第３ブラダー４２Ｃ、第４ブラダー４２Ｄ、第５ブラダー４２Ｅ、の５つのブラダー４２を備えていたが、本発明はこれに限定されるものではない。振動子２を振動方向に移動させる第５ブラダー４２Ｅは省略してもよい。その場合には、第１ブラダー４２Ａ、第２ブラダー４２Ｂ、第３ブラダー４２Ｃ、第４ブラダー４２Ｄが、変位手段として機能して、振動子２をその振動方向に直交する方向に変位させてもよい。
【００４６】
また、前記実施例では、第１ブラダー４２Ａ、第２ブラダー４２Ｂ、第３ブラダー４２Ｃ、第４ブラダー４２Ｄが、変位手段として機能して、振動子２をその振動方向に直交する方向に変位させているが、本発明はこれに限定されるものではない。振動装置は、第１ブラダー４２Ａ及び第２ブラダー４２Ｂと、第３ブラダー４２Ｃ及び第４ブラダー４２Ｄと、のうち何れか一方のみを備えて構成されていてもよい。その場合には、第１ブラダー４２Ａ、第２ブラダー４２Ｂが、変位手段として機能して、振動子２をその振動方向に直交する方向の上下に変位させてもよいし、第３ブラダー４２Ｃ、第４ブラダー４２Ｄが、変位手段として機能して、振動子２をその振動方向に直交する方向の左右に変位させてもよい。
【００４７】
また、前記実施例では、第１ブラダー４２Ａと第２ブラダー４２Ｂの両方が、制御手段によって制御されているが本発明はこれに限定されるものではない。第１ブラダー４２Ａと第２ブラダー４２Ｂのうち何れか一方が、他方に向かう付勢力を有する第１付勢手段としてのコイルばね（不図示）であってもよい。即ち、第１ブラダー４２Ａと振動子２を結ぶ第１線分ＰＡの延長ＰＢ上にコイルばねが位置していてもよい。同様に、第３ブラダー４２Ｃと第４ブラダー４２Ｄのうち何れか一方が、他方に向かう付勢力を有する第２付勢手段としてのコイルばねであってもよい。即ち、第３ブラダー４２Ｃと振動子２を結ぶ第２線分ＰＣの延長ＰＤ上にコイルばねが位置していてもよい。これによれば、第１、第２付勢手段を制御手段により制御させずとも、振動子２を平面方向に移動させる構成が実現される。或いは、振動装置は、第１ブラダー４２Ａ（第１変位部）と、第２ブラダー４２Ｂ（第２変位部）と、第１付勢手段と、を有し、これら第１ブラダー４２Ａ、第２ブラダー４２Ｂ及び、第１付勢手段が、振動子２を中心とする位置に等間隔をあけて位置していてもよい。または、適宜な位置に適宜な数だけ設けられたブラダー（変位部）と適宜な位置に適宜な数だけ設けられた付勢手段を配置することで、振動子２を平面方向に移動させてもよい。
【００４８】
また、前記実施例では、振動ユニット１２は、図１に示すように、背面１１Ｂを構成するシート部材１１１の内側の緩衝部材１１２内に配設されているが、本発明はこれに限定されるものではない。振動ユニットは、座面１１Ａを構成するシート部材１１１の内側の緩衝部材１１２内に配設されていてもよい。
【００４９】
また、前記実施例では、第１ブラダー４２Ａ及び第２ブラダー４２Ｂは、振動子２からの距離が略等しい距離となる位置に設けられているが、本発明はこれに限定されるものではない。第１ブラダー４２Ａ（第１変位部）と振動子２の中心点Ｐ０とを結ぶ第１線分ＰＡの延長線ＰＢ上に第２ブラダー４２Ｂ（第２変位部）が位置していればよく、第１ブラダー４２Ａと振動子２の中心点Ｐ０との距離、第２ブラダー４２Ｂと振動子２の中心点Ｐ０との距離、は適宜なものに設定してもよい。同様に、第３ブラダー４２Ｃ（第３変位部）と振動子２の中心点Ｐ０とを結ぶ第２線分ＰＣの延長線ＰＤ上に第４ブラダー４２Ｄ（第４変位部）が位置していればよく、第３ブラダー４２Ｃと振動子２の中心点Ｐ０との距離、第４ブラダー４２Ｄと振動子２の中心点Ｐ０との距離、は適宜なものに設定してもよい。
【００５０】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想及び、目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００５１】
１          振動装置
２          振動子
４          変位手段
５          振動方向変位手段
４２Ａ      第１ブラダー（第１変位部）
４２Ｂ      第２ブラダー（第２変位部）
４２Ｃ      第３ブラダー（第３変位部）
４２Ｄ      第４ブラダー（第４変位部）
４２Ｅ      第５ブラダー（第５変位部）
Ｐ０        振動子の定位置
ＰＡ        第１線分
ＰＢ        第１線分の延長上
ＰＣ        第２線分
ＰＤ        第２線分の延長上
【図１】
2019010917.tif 000003
【図２】
2019010917.tif 000004